(57)【要約】【課題】検出セル間のクロストークを抑制しつつ、放射線の収集効率を向上可能な検出器を提供する。【解決手段】Ｘ線の検出面２４ａに沿って配列された複数の検出セル４１を備え、検出セル４１それぞれは、シンチレータからなるシンチレータ部４２と、シンチレータ部４２に積層的に設けられ、シンチレータ部４２からの光を電気信号に変換するフォトダイオード４３とを備え、シンチレータ部４２は、チャンネル方向及び列方向に延びる溝部４５を有する境界部Ｂによって互いに区画され、境界部ＢにはＸ線の入射方向における一部にシンチレータが設けられている。【選択図】図３
2006145431.tif 000002
【特許請求の範囲】
【請求項１】
放射線の検出面に沿って配列された複数の検出セルを備え、
前記複数の検出セルそれぞれは、シンチレータからなるシンチレータ部と、前記シンチレータ部に積層的に設けられ、前記シンチレータ部からの光を電気信号に変換する光電変換素子とを備え、
前記複数の検出セルの前記シンチレータ部は、前記検出面に沿って延びる溝部を有する境界部によって互いに区画され、
前記溝部は前記境界部にシンチレータを残す深さで形成されている
放射線検出器。
【請求項２】
前記境界部上には前記放射線の前記シンチレータ部への入射を制限するコリメータが設けられていない
請求項１に記載の放射線検出器。
【請求項３】
前記境界部に設けられたシンチレータは、前記境界部に対して前記積層方向に入射する放射線を光に変換する
請求項１又は２に記載の放射線検出器。
【請求項４】
前記境界部のシンチレータは前記検出面に沿う方向に亘って設けられ、前記シンチレータ部は前記境界部のシンチレータを介して連続し、前記検出面の略全面に亘ってシンチレータが設けられている
請求項１〜３のいずれか１項に記載の放射線検出器。
【請求項５】
前記溝部に反射材が挿入されている
請求項１〜４のいずれか１項に記載の放射線検出器。
【請求項６】
前記溝部が中空である
請求項１〜４のいずれか１項に記載の放射線検出器。
【請求項７】
前記溝部は、前記シンチレータ部間において前記光電変換素子側に開口し、前記シンチレータ部の厚さよりも浅く形成され、前記境界部の前記シンチレータは前記溝部に対して前記検出面側に設けられている
請求項１〜６のいずれか１項に記載の放射線検出器。
【請求項８】
前記溝部は、前記シンチレータ部間において前記検出面に開口し、前記シンチレータ部の厚さよりも浅く形成され、前記境界部の前記シンチレータは前記溝部に対して光電変換素子側に設けられている
請求項１〜６のいずれか１項に記載の放射線検出器。
【請求項９】
前記シンチレータ部の厚さは、前記シンチレータ部に入射した放射線のうち所定割合の放射線が光に変換されるように設定され、
前記溝部の深さは、前記境界部に残されたシンチレータの厚さが前記シンチレータ部の厚さの半分以下となり、かつ、前記境界部に残されたシンチレータに入射した放射線のうち前記所定割合の半分以上の割合の放射線が光に変換されるように設定されている
請求項１〜８のいずれか１項に記載の放射線検出器。
【請求項１０】
放射線源と、
前記放射線源からの放射線を検出して電気信号を出力する検出器と、
前記検出器により出力された電気信号に基づいてデータを収集するデータ収集手段と、
を備え、
前記検出器は、放射線の検出面に沿って配列された複数の検出セルを備え、
前記複数の検出セルそれぞれは、シンチレータからなるシンチレータ部と、前記シンチレータ部に積層的に設けられ、前記シンチレータ部からの光を電気信号に変換する光電変換素子とを備え、
前記複数の検出セルの前記シンチレータ部は溝部を有する境界部によって互いに区画され、
前記溝部は前記境界部にシンチレータを残す深さで形成されている
放射線撮像装置。
【請求項１１】
被検体に放射線を照射する放射線源と、
前記被検体を挟んで前記放射線源に対して対向配置され、前記放射線源からの放射線を検出して電気信号を出力する検出器と、
前記放射線源及び前記検出器を前記被検体の周りに回転させる移動手段と、
前記被検体に対する複数位置それぞれに対応して前記検出器により出力された電気信号に基づいてデータを収集するデータ収集手段と、
前記データ収集手段の収集したデータに基づいて画像を再構成する画像再構成手段と、
を備え、
前記検出器は、放射線の検出面に沿って配列された複数の検出セルを備え、
前記複数の検出セルそれぞれは、シンチレータからなるシンチレータ部と、前記シンチレータ部に積層的に設けられ、前記シンチレータ部からの光を電気信号に変換する光電変換素子とを備え、
前記複数の検出セルの前記シンチレータ部は溝部を有する境界部によって互いに区画され、
前記溝部は前記境界部にシンチレータを残す深さで形成されている
放射線ＣＴ装置。
【請求項１２】
放射線の検出面に沿って配列された複数の検出セルを備え、前記複数の検出セルそれぞれは、シンチレータからなるシンチレータ部と、前記シンチレータ部に積層的に設けられ、前記シンチレータ部からの光を電気信号に変換する光電変換素子とを備える放射線検出器の製造方法であって、
シンチレータからなるシンチレータ部材に、当該シンチレータ部材の厚さよりも浅い溝部を設けて、前記複数のシンチレータ部に区画する工程と、
前記シンチレータ部材と前記複数の光電変換素子とを固定する工程と、
を備える
放射線検出器の製造方法。
【請求項１３】
硬化して反射材となる液状材料を前記溝部に充填する工程を更に備える
請求項１２に記載の放射線検出器の製造方法。
【発明の詳細な説明】
【技術分野】
【０００１】
本発明は、放射線検出器、放射線撮像装置、放射線ＣＴ装置及び放射線検出器の製造方法に関し、より詳細には、シンチレータとフォトダイオード等の光電変換素子とを組み合わせた検出セルが複数配列された検出器、当該検出器を備えた各種装置、当該検出器の製造方法に関する。
【背景技術】
【０００２】
上記の検出器として、例えばＸ線ＣＴ装置に用いられる検出器が知られている。この検出器では、いわゆるチャンネル方向に複数の検出セルが配列される。また、チャンネル方向に直交する方向（列方向）にも検出セルが配列されるいわゆる多列検出器も知られている。
【０００３】
図８に従来の検出器のチャンネル方向又は列方向における断面図を示す。検出器５００は、複数の検出セル５０１を備え、各検出セル５０１それぞれは、シンチレータ５０２、フォトダイオード５０３を有している。各シンチレータ５０２は、Ｘ線から変換した光が隣接する検出セル５０１のフォトダイオード５０２によって受光されることを防止するために、つまり、いわゆるクロストークを防止するために、光を反射するリフレクタ５０４により隔離されている。さらに、各リフレクタ５０４上には、シンチレータ５０２に入射する放射線を制限して検出精度を向上させるためにコリメータ５０５が設けられている。なお、コリメータ５０５は、シンチレータ５０２等の製造工程に起因する精度誤差を補填する目的で、例えば各検出セルの入射面の面積や入射面の間隔を均等にする目的で設けられるものであり、各検出セル５０１の配列方向（紙面左右方向）においてリフレクタ５０４よりも厚く形成されている。
【０００４】
このように、従来の検出器では、Ｘ線の入射面のうち所定割合の面積をリフレクタ５０２及びコリメータ５０５が占有しているため、入射面に到達したＸ線のうち一部についてはシンチレータ５０２によって光に変換されず、検出されないことになる。つまり、Ｘ線の収集効率が低下する。検出セルの間隔やコリメータ５０５の幅によっては、チャンネル方向、列方向各々で約２０％のＸ線の損失が生じ、トータルで約４０％のＸ線の損失が生じることがある。
【０００５】
このような問題を解決する技術として、特許文献１記載の技術が知られている。特許文献１記載の技術では、リフレクタを配置せず、かつ、一つのコリメータ間に複数のフォトダイオードを配置することにより、コリメータ及びリフレクタによるＸ線の損失を抑制しつつ、分解能を向上させている。
【特許文献１】特開２００４−９３４８９号公報
【発明の開示】
【発明が解決しようとする課題】
【０００６】
しかし、特許文献１の技術では、リフレクタが配置されていないために、Ｘ線の収集効率を高くするためにシンチレータを厚くすると、光散乱のため隣接セルへのクロストークが増大する。
【０００７】
本発明の目的は、検出セル間のクロストークを抑制しつつ、放射線の収集効率を向上可能な検出器、当該検出器を備えた各種装置、当該検出器の製造方法を提供することにある。
【課題を解決するための手段】
【０００８】
本発明の放射線検出器は、放射線の検出面に沿って配列された複数の検出セルを備え、前記複数の検出セルそれぞれは、シンチレータからなるシンチレータ部と、前記シンチレータ部に積層的に設けられ、前記シンチレータ部からの光を電気信号に変換する光電変換素子とを備え、前記複数の検出セルの前記シンチレータ部は、前記検出面に沿って延びる溝部を有する境界部によって互いに区画され、前記溝部は前記境界部にシンチレータを残す深さで形成されている。
【０００９】
好適には、前記境界部上には前記放射線の前記シンチレータ部への入射を制限するコリメータが設けられていない。
【００１０】
好適には、前記境界部に設けられたシンチレータは、前記境界部に対して前記積層方向に入射する放射線を光に変換する。
【００１１】
好適には、前記境界部のシンチレータは前記検出面に沿う方向に亘って設けられ、前記シンチレータ部は前記境界部のシンチレータを介して連続し、前記検出面の略全面に亘ってシンチレータが設けられている。
【００１２】
好適には、前記溝部に反射材が挿入されている。
【００１３】
好適には、前記溝部が中空である。
【００１４】
好適には、前記溝部は、前記シンチレータ部間において前記光電変換素子側に開口し、前記シンチレータ部の厚さよりも浅く形成され、前記境界部の前記シンチレータは前記溝部に対して前記検出面側に設けられている。
【００１５】
好適には、前記溝部は、前記シンチレータ部間において前記検出面に開口し、前記シンチレータ部の厚さよりも浅く形成され、前記境界部の前記シンチレータは前記溝部に対して光電変換素子側に設けられている。
【００１６】
好適には、前記シンチレータ部の厚さは、前記シンチレータ部に入射した放射線のうち所定割合の放射線が光に変換されるように設定され、前記溝部の深さは、前記境界部に残されたシンチレータの厚さが前記シンチレータ部の厚さの半分以下となり、かつ、前記境界部に残されたシンチレータに入射した放射線のうち前記所定割合の半分以上の割合の放射線が光に変換されるように設定されている。
【００１７】
本発明の放射線撮像装置は、放射線源と、前記放射線源からの放射線を検出して電気信号を出力する検出器と、前記検出器により出力された電気信号に基づいてデータを収集するデータ収集手段と、を備え、前記検出器は、放射線の検出面に沿って配列された複数の検出セルを備え、前記複数の検出セルそれぞれは、シンチレータからなるシンチレータ部と、前記シンチレータ部に積層的に設けられ、前記シンチレータ部からの光を電気信号に変換する光電変換素子とを備え、前記複数の検出セルの前記シンチレータ部は溝部を有する境界部によって互いに区画され、前記溝部は前記境界部にシンチレータを残す深さで形成されている。
【００１８】
本発明の放射線ＣＴ装置は、被検体に放射線を照射する放射線源と、前記被検体を挟んで前記放射線源に対して対向配置され、前記放射線源からの放射線を検出して電気信号を出力する検出器と、前記放射線源及び前記検出器を前記被検体の周りに回転させる移動手段と、前記被検体に対する複数位置それぞれに対応して前記検出器により出力された電気信号に基づいてデータを収集するデータ収集手段と、前記データ収集手段の収集したデータに基づいて画像を再構成する画像再構成手段と、を備え、前記検出器は、放射線の検出面に沿って配列された複数の検出セルを備え、前記複数の検出セルそれぞれは、シンチレータからなるシンチレータ部と、前記シンチレータ部に積層的に設けられ、前記シンチレータ部からの光を電気信号に変換する光電変換素子とを備え、前記複数の検出セルの前記シンチレータ部は溝部を有する境界部によって互いに区画され、前記溝部は前記境界部にシンチレータを残す深さで形成されている。
【００１９】
本発明の放射線検出器の製造方法は、放射線の検出面に沿って配列された複数の検出セルを備え、前記複数の検出セルそれぞれは、シンチレータからなるシンチレータ部と、前記シンチレータ部に積層的に設けられ、前記シンチレータ部からの光を電気信号に変換する光電変換素子とを備える放射線検出器の製造方法であって、シンチレータからなるシンチレータ部材に、当該シンチレータ部材の厚さよりも浅い溝部を設けて、前記複数のシンチレータ部に区画する工程と、前記シンチレータ部材と前記複数の光電変換素子とを固定する工程と、を備える。
【００２０】
好適には、硬化して反射材となる液状材料を前記溝部に充填する工程を更に備える。
【発明の効果】
【００２１】
本発明によれば、セル間のクロストークを抑制しつつ、放射線の収集効率を向上できる。
【発明を実施するための最良の形態】
【００２２】
第１の実施形態
図１は、本発明を適用した第１の実施形態に係るＸ線ＣＴ装置１００の構成を示す概略図である。Ｘ線ＣＴ装置１００は、いわゆるマルチディテクタ（ＭＤ）ＣＴ装置として構成されており、操作コンソール１と、撮影テーブル１０と、走査ガントリ２０とを備えている。
【００２３】
操作コンソール１は、操作者の入力を受け付ける入力装置２と、走査ガントリ２０で取得した投影データを収集するデータ収集バッファ５と、データ収集バッファ５の収集した投影データに基づく画像再構成処理などを実行する中央処理装置３と、中央処理装置３により再構成されたＣＴ画像を表示するモニタ６と、プログラム、データ及びＸ線ＣＴ画像を記憶する記憶装置７とを備えている。
【００２４】
撮影テーブル１０は、被検体を乗せて走査ガントリ２０のボア（空洞部）に出し入れするクレードル１２を備えている。クレードル１２は、撮影テーブル１０に内蔵されたモータにより上下方向及び水平方向に駆動される。
【００２５】
走査ガントリ２０は、Ｘ線管２１と、Ｘ線コントローラ２２と、コリメータ２３と、多列Ｘ線検出器２４と、ＤＡＳ（Ｄａｔａ  Ａｃｑｕｉｓｉｔｉｏｎ  Ｓｙｓｔｅｍ）２５と、Ｘ線管２１や検出器２４を含む回転部１５を被検体の体軸の周りに回転制御するための回転部コントローラ２６と、操作コンソール１や撮影テーブル１０との間で制御信号等の各種信号を入出力する制御コントローラ２９と、回転部１５内の各種装置に対して通電を行うためのスリップリング３０とを備えている。
【００２６】
なお、Ｘ線管２１は放射線源として機能し、ＤＡＳ２５及びデータ収集バッファ５はデータ収集手段として機能し、回転部１５は移動手段として機能し、中央処理装置３は画像再構成手段として機能する。
【００２７】
図２は、Ｘ線ＣＴ装置１００の撮像に係わる主要部の構成の概略を示す斜視図である。Ｘ線管２１は、Ｘ線コントローラ２２からの制御信号に基づいて所定強度のＸ線を被検体の撮影領域に向けて照射する。コリメータ２３は、Ｘ線管２１と検出器２４との間に配置されており、回転部コントローラ２６からの制御信号に基づいて、Ｘ線管２１から放射されたＸ線を整形する。コリメータ２３により整形されたＸ線は被検体を通過して検出器２４に到達する。
【００２８】
検出器２４は、チャンネル方向（ｘ方向）及び列方向（ｚ方向）に配列された複数の検出セル４１を備えている。チャンネル方向には例えば１０００個の検出セル４１が、列方向には例えば６４個の検出セル４１が配置される。検出器２４は、Ｘ線が入射する検出面２４ａがチャンネル方向において円弧状に湾曲するように形成されている。
【００２９】
図３は検出器２４のチャンネル方向又は列方向における拡大断面図である。検出セル４１は、シンチレータからなるシンチレータ部４２、光電変換素子としてのフォトダイオード４３を有している。シンチレータ部４２は、一様厚さＤ１のシンチレータ部材Ｍにチャンネル方向及び列方向に延びる溝部４５が設けられることにより互いに区画されて形成されている。換言すれば、溝部４５を有する境界部Ｂにより互いに区画されている。なお、シンチレータとしては公知の適宜の材料を利用してよい。
【００３０】
溝部４５は、フォトダイオード４３側に開口するように設けられるとともに、シンチレータ部４２の厚さＤ１よりも浅く形成されており、境界部ＢのＸ線入射側には厚さＤ２のシンチレータが残っている。従って、シンチレータ部は境界部のシンチレータを介して互いに連続し、検出面２４ａ（図２参照）の全面にシンチレータが配置されている。また、溝部４５内にはシンチレータ部４２間で光が漏れるのを防止するために、反射材としてのリフレクタ４４が設けられている。なお、検出器２４は、シンチレータに入射するＸ線をシンチレータの手前で整形するコリメータ（図８のコリメータ５０５）を備えていない。
【００３１】
このような検出器２４において、矢印ｙ１で示す、一つのシンチレータ部４２に入射するＸ線は、シンチレータ部４２によって光Ｌ１に変換される。変換された光Ｌ１は当該シンチレータ部４２に対応するフォトダイオード４１によって受光され、受光量に応じた電気信号がＤＡＳ２５（図１参照）に出力される。この際、リフレクタ４４によって隣接する検出セル４１へのクロストークは防止される。
【００３２】
また、従来はコリメータやリフレクタが存在することによりＸ線が収集されることのなかった境界部Ｂにおいても、リフレクタ４４のＸ線入射側に残るシンチレータによりＸ線が光Ｌ２に変換される。変換された光Ｌ２は、光Ｌ１の一部としてフォトダイオード４１により受光される。これによりＸ線収集効率が向上する。
【００３３】
図４は、シンチレータ部４２の厚さＤ１及び境界部Ｂのシンチレータの厚さＤ２の設定方法の一例を示している。横軸ＤはＸ線が通過するシンチレータの厚さであり、縦軸Ｐはシンチレータに入射するＸ線強度Ｉ０と、シンチレータを通過後のＸ線強度Ｉとの比の百分率である。シンチレータ通過後のＸ線強度Ｉは、以下の式により計算している。
Ｉ＝Ｉ０ｅｘｐ（−μＤ）
なお、μはシンチレータの材質によって定まる減弱係数である。
【００３４】
図４において曲線Ｇ１で示すように、Ｘ線は通過するシンチレータの厚さに応じて減衰する。従って、シンチレータ部の厚さＤ１は、Ｘ線が所定値Ｐ１に減衰するまで光に変換されるように設定される。例えば、Ｐ１は２％である。換言すればＸ線の略９８％を光に変換するように設定される。同様に、厚さＤ２も境界部Ｂに入射したＸ線が所定値Ｐ２に減衰するまで光に変換されるように設定される。例えば、Ｐ２は３０％である。換言すれば、境界部Ｂに入射したＸ線の７０％が光に変換されるようにＤ２を設定する。
【００３５】
なお、図４に示すように、Ｘ線の減衰は指数関数で表され、シンチレータの表面部分で比較的多くのＸ線が光に変換されることから、クロストークを抑制するのに十分な厚さでリフレクタ４４を配置しつつ、シンチレータ部４２の厚さＤ１に対して比較的薄いシンチレータにより効率的にＸ線収集効率を向上させることができる。例えば、シンチレータ部４２の厚さＤ１を、シンチレータ部４２に入射した放射線のうち所定割合（１００−Ｐ１（％））の放射線が光に変換されるように設定し、溝部４５の深さは、境界部Ｂに残されたシンチレータの厚さＤ２が厚さＤ１の半分以下となり（Ｄ２＜Ｄ１／２）、かつ、境界部Ｂに残されたシンチレータに入射した放射線のうち上記所定割合の半分以上の割合の放射線が光に変換される（１００−Ｐ２＞（１００−Ｐ１）／２）ように設定することができる。
【００３６】
以上の検出器２４は、適宜な製造方法により製造してよいが、以下ではその一例を説明する。図５は、検出器２４の製造方法の概略を示すフローチャートである。
【００３７】
まず、一様な厚さのシンチレータ部材Ｍに溝部４５を形成し、シンチレータ部材Ｍを複数のシンチレータ部４２に区画する（ステップＳ１）。溝部４５の形成はシンチレータ部４２に必要な精度で加工可能な適宜な方法により行ってよい。例えばブレード状の砥石によって溝部４５を形成してよい。
【００３８】
次に溝部４５にリフレクタ剤を充填する（ステップＳ２）。リフレクタ剤は、溝部に充填後硬化し、また、硬化後に光を遮断又は反射してシンチレータ部４２間で光が漏れるのを抑制できれば適宜な材料を用いてよく、例えば接着剤を用いてよい。
【００３９】
そして、リフレクタ剤が硬化するまで待機し（ステップＳ３）、硬化後、シンチレータ部材Ｍとフォトダイオード４３とを固定する（ステップＳ４）。シンチレータ部材Ｍとフォトダイオード４３との固定も適宜な方法で行ってよい。例えば接着剤により接着してよい。
【００４０】
第２の実施形態
図６は、本発明を適用した第２の実施形態に係る検出器６０を示す断面図である。なお、検出器６０は、第１の実施形態と同様にＸ線ＣＴ装置１００の多列検出器として構成される。検出器６０は、検出器２４と同様に、複数の検出セル６１を備え、各検出セル６１は、シンチレータ部６２、フォトダイオード６３を備えている。ただし、境界部Ｂの溝部６５がシンチレータ部６２のＸ線入射側に設けられている点、溝部６５にはリフレクタは配置されておらず、中空となっている点において第１の実施形態と相違する。
【００４１】
検出器６０では溝部６５によって検出セル６１間のクロストークが抑制される。すなわち、シンチレータ及び空気における光の屈折率は相違することから、各シンチレータ部６２によりＸ線から変換された光は溝部６５により反射し、隣接する検出セル６１に漏れることが防止される。
【００４２】
一方、矢印ｙ１方向において溝部６５に入射したＸ線は、境界部Ｂのフォトダイオード６３側に位置するシンチレータにより光Ｌ３に変換され、フォトダイオード６３に受光される。これによりＸ線の収集効率が向上する。
【００４３】
検出器６０において、境界部Ｂにおけるシンチレータの厚さＤ２は第１の実施形態と同様に設定してよい。
【００４４】
また、検出器６０の製造方法は、図５にて示した製造方法においてステップＳ２及びＳ３を省略し、ステップＳ４においてシンチレータ部材Ｍの溝部６５が設けられた面の反対側にフォトダイオード６３を固定すればよい。
【００４５】
第３の実施形態
図７は、本発明を適用した第３の実施形態に係る検出器７０を示す断面図である。なお、検出器７０は、第１の実施形態と同様にＸ線ＣＴ装置１００の多列検出器として構成される。検出器７０は、検出器２４と同様に、複数の検出セル７１を備え、各検出セル７１は、シンチレータ部７２、フォトダイオード７３を備えている。ただし、境界部Ｂの溝部７５ａ、７５ｂがシンチレータ部７２のＸ線入射側及びフォトダイオード７３側にそれぞれ設けられており、境界部Ｂの中央側にシンチレータが残っている点で第１の実施形態と相違する。なお、溝部７５ａ、７５ｂには、Ｘ線が透過可能なリフレクタ７４ａ、７４ｂがそれぞれ挿入されている。
【００４６】
検出器７０ではリフレクタ７５ａ、７５ｂによって検出セル７１間のクロストークが抑制される。一方、リフレクタ７５ａに入射したＸ線ｙ１は、リフレクタ７５ａ、７５ｂ間のシンチレータにより光Ｌ４に変換され、光Ｌ１の一部としてフォトダイオード７３に受光される。これによりＸ線の収集効率が向上する。
【００４７】
検出器７０において、境界部Ｂにおけるシンチレータの厚さＤ２は第１の実施形態と同様に設定してよい。
【００４８】
また、検出器７０の製造方法は、図５にて示した製造方法においてステップＳ２、Ｓ３をシンチレータ部材Ｍの両面に対して行えばよい。
【００４９】
以上の実施形態によれば、シンチレータ部を区画する境界部に設けられた中実又は中空の溝部によりクロストークを抑制し、その一方で境界部に設けられたシンチレータにより境界部に入射したＸ線を光に変換してＸ線の収集効率を向上させることができる。
【００５０】
また、シンチレータ部材を完全に切断してシンチレータ部を区画する必要がないため、製造方法の簡素化、Ｘ線検出の精度向上を図ることができる。すなわち、従来の検出器の製造方法では、まずシンチレータ部材を完全に切断、分離して各検出セルのシンチレータ部を形成し、その後、シンチレータ部を互いに接着固定して検出器を製造していた。しかし、本実施形態では、シンチレータ部を切断、分離する必要がないため、図５のように切断、分離をしない製造方法とし、各シンチレータ部を互いに接着固定する肯定を省くことができ、製造方法の簡素化が図られる。また、各シンチレータ部を接着固定する際に、シンチレータ部間の相対位置の精度が低下することもなく、シンチレータの手前にてＸ線を整形するコリメータを省略しても十分な位置精度でＸ線を検出できる。
【００５１】
本発明は以上の実施形態に限定されず、種々の態様で実施してよい。
【００５２】
境界部において、フォトダイオードとシンチレータの積層方向（Ｘ線入射方向）の一部において設けられるシンチレータは、実施形態のようにチャンネル方向及び列方向（検出面に沿う方向）に延びる境界部全体に亘って設けられていてもよいし、検出面に沿う方向の一部において設けられていてもよい。いずれにせよ、従来の境界部にシンチレータが全く設けられていない検出器に比較してＸ線の収集効率は向上し、リフレクタが全く設けられない検出器に比較してクロストークが抑制される。
【００５３】
境界部のシンチレータの位置と、溝部の中実又は中空の設定とは、適宜に組み合わせてよい。例えば、第１の実施形態において溝部４５を中空としてもよいし、第２の実施形態において溝部６５にＸ線が透過可能なリフレクタを挿入してもよいし、第３の実施形態において溝部７５ａ、７５ｂのうち少なくとも一方を中空としてもよい。
【００５４】
本発明の検出器は、シンチレータ部の境界部にシンチレータが設けられ、境界部に対してシンチレータとフォトダイオードの積層方向に入射したＸ線を光に変換できればよく、その製造方法は問わない。例えば、一度分離されたシンチレータ部の境界部にシンチレータを設けてもよい。ただし、上述のように、シンチレータ部材にシンチレータ部材の厚さよりも浅い溝を設けることによりシンチレータを残す製造方法が簡素である。
【００５５】
溝部に挿入される反射材は、シンチレータ部間に挿入することにより光の漏れを抑制することができるものであれば、あらゆる材質を利用してよい。実施形態では液状で溝部に注入され、その後硬化する材料を例示したが、当初から固体の材料を挿入してもよい。また、反射材に代えて光を遮断する遮光材を溝部に挿入してもよい。
【図面の簡単な説明】
【００５６】
【図１】本発明の第１の実施形態のＸ線ＣＴ装置の構成を示す概略図である。
【図２】図１のＸ線ＣＴ装置の撮像に係る主要部を示す斜視図である。
【図３】図１のＸ線ＣＴ装置の検出器の拡大断面図。
【図４】図３の検出器のシンチレータの厚さの設定方法を示す図。
【図５】図３の検出器のシンチレータの製造方法を示すフローチャート。
【図６】本発明の第２の実施形態に係る検出器の拡大断面図。
【図７】本発明の第３の実施形態に係る検出器の拡大断面図。
【図８】従来の検出器の拡大断面図。
【符号の説明】
【００５７】
４１…検出セル、４２…シンチレータ部、４３…光電変換素子、４５…溝部、Ｂ…境界部、２４…放射線検出器。
【図１】
2006145431.tif 000003
【図２】
2006145431.tif 000004
【図３】
2006145431.tif 000005
【図４】
2006145431.tif 000006
【図５】
2006145431.tif 000007
【図６】
2006145431.tif 000008
【図７】
2006145431.tif 000009
【図８】
2006145431.tif 000010